(57)【要約】  【課題】  室内機の通風抵抗を低減すると共に、熱交換器を通す風量の流速分布を均一化し、機内の圧損を減少し、高効率の空気調和機用室内機を提供する。  【解決手段】  ケーシング１１内に熱交換器２、送風機３、水受け５、電気備品１２を備え、ケーシング下面に吸込み口８と吹出し口９との間に配置された水受け５と、水受け５の上に熱交換器２が設置され、熱交換器２の下流側に送風機３を設けた空気調和機用室内機において、水受け５は吸込み口８から熱交換器２に至る間に吸込み口８の端部より内側となるように壁が設けられたものである。【選択図】  図１
2006084076.tif 000002
【特許請求の範囲】
【請求項１】
ケーシング内に熱交換器、送風機、水受け、電気備品を備え、前記ケーシング下面に吸込み口と吹出し口との間に配置された水受けと、前記水受けの上に前記熱交換器が設置され、前記熱交換器の下流側に送風機を設けた空気調和機用室内機において、
前記水受けは、前記吸込み口から前記熱交換器に至る間に前記吸込み口の端部より内側となるように壁が設けられたことを特徴とする空気調和機用室内機。
【請求項２】
請求項１に記載した空気調和機用室内機において、前記壁が垂直に設けられたことを特徴とする空気調和機用室内機。
【請求項３】
請求項１に記載した空気調和機用室内機において、前記壁の上端が前記熱交換器の向きに折り曲げられていることを特徴とする空気調和機用室内機。
【請求項４】
請求項１に記載した空気調和機用室内機において、前記壁の上端が前記熱交換器と垂直となる方向に屈折していることを特徴とする空気調和機用室内機。
【請求項５】
請求項１ないし４に記載のいずれかのものにおいて、前記壁と前記熱交換器の下に配置された水受けは一体化されたことを特徴とする空気調和機用室内機。
【発明の詳細な説明】
【技術分野】
【０００１】
本発明は空気調和機用室内機に関し、特に熱交換器上流側の風路の構成についてである。
【背景技術】
【０００２】
熱交換器、送風機、電気備品を備えた従来の空気調和機室内機において、熱交換器上流側の風路の構成は、例えば特開２００４−１７７０４８号公報（特許文献１）本体内に熱交換面積を確保しつつ、通風抵抗および風量損失を低減するため、熱交換器が斜めに傾斜配置され、その下にドレンパンが設置されている。また、熱交換器の傾斜下面側に、傾斜下面から滴下するドレン水を受けるためドレンガイドを設け、更にそのガイドの縦と横方向にドレン水を流れるように樋を備えている。また、吸込み口をできるだけ広げるためドレンパンを熱交換器側に寄せている。
【０００３】
【特許文献１】特開２００４−１７７０４８号公報
【発明の開示】
【発明が解決しようとする課題】
【０００４】
しかし、上記従来の空気調和気において熱交換器上流の構成では、熱交換器の傾斜角度が大きいため、水受けガイドおよび縦、横樋を熱交換器の上流風路側に備えなければならないので、これが通風抵抗になってしまい、機内通風抵抗を増加する問題が生じる。また、吸込み口をできるだけ広げるため水受けが熱交換器側に寄せ過ぎると、熱交換器下部に風が通りにくくなるため熱交換量が減少され、効率を低下する可能性がある。
【０００５】
本発明の目的は、上記従来技術の課題を解決し、熱交換器を通過する風の流速分布を均一化し、熱交換器の熱交換効率を向上することにある。また、室内機内の圧損を減小し、熱交換器の機能を最大に引き出し、高効率の空気調和機用室内機とすることにある。
【課題を解決するための手段】
【０００６】
本発明は、ケーシング内に熱交換器、送風機、水受け、電気備品を備え、前記ケーシング下面に吸込み口と吹出し口との間に配置された水受けと、前記水受けの上に前記熱交換器が設置され、前記熱交換器の下流側に送風機を設けた空気調和機用室内機において、前記水受けは、前記吸込み口から前記熱交換器に至る間に前記吸込み口の端部より内側となるように壁が設けられたものである。
【発明の効果】
【０００７】
本発明によれば、空気調和機において、吸込み口から熱交換器までの風路に壁を設けるため、熱交換器を通過する風の流速分布が均一化され、熱交換器の熱交換効率を向上させることができる。
【発明を実施するための最良の形態】
【０００８】
以下、本発明の実施例を図面を用いて説明する。
【実施例１】
【０００９】
図1は本発明の第一実施の形態を示す空気調和機室内機の断面構成図である。ケーシング１１内に熱交換器２、貫流ファン３、水受け５、電気備品１２を備え、前記ケーシング１１下面に吸込み開口部８と吹出し開口部９を設け、その二つ開口部の間に前記水受け５が配置され、前記水受け５の上に前記熱交換器２を設置し、前記熱交換器２の下流側に前記貫流ファン３を設けた空気調和機用室内機において、前記吸込み口８端部より内側に前記水受け５と垂直になるの壁６を設け、前記壁６と前記水受け５を一体化に構成している。
【００１０】
また、前記貫流ファン３の両側にマエノーズ７とバックノーズ４が前記貫流ファン３を挟むような形で構成している。室内機運転の際に空気が前記吸込み口８から前記壁６と前記熱交換器２および貫流ファン３の順に通して前記吹出し口９から吹出す。
前記熱交換器２の上流の風路に壁６を設けたため、前記熱交換器２を通過する風の流速分布が比較的均一化され、また、吸込み方向に回転する渦が前記壁６の上流側に生じ、吸込み風が流れ易くなり、機内の圧損を減少することができる。また、吸込み方向に回転する渦が壁の上流側に生じるため吸込み口の風が流れ易くなり、機内の圧損を減少し、ショートサーキットが起きににくくなる。
【実施例２】
【００１１】
図２は本発明の第二実施の形態を示す空気調和機用室内機の断面構成図である。ケーシング１１内に熱交換器２、貫流ファン３、水受け５a、電気備品１２を備え、前記ケーシング１１下面に吸込み開口部８aと吹出し開口部９を設け、その二つ開口部の間に外側面Ｌ字型の前記水受け５aが配置され、前記水受け５aの上に前記熱交換器２を設置し、前記熱交換器２の下流側に前記貫流ファン３を設けた空気調和機用室内機において、前記水受け５aの吸込み口側の側面に前記吸込み口８aを塞ぐような突き出し板６１を設けている。
【００１２】
室内機運転の際に吸込み風が前記前記水受け５aのＬ字型側面に当り、前記突き出し板６１を設けたため、吸込み方向に回転する渦が生じ、吸込み風が流れ易くなる。また、前記突き出し板６１の突き出し量により、吸込み風量の調節が可能である。
【実施例３】
【００１３】
図３は本発明の第二実施の形態を示す空気調和機用室内機の断面構成図である。ケーシング１１内に熱交換器２、貫流ファン３、水受け５、電気備品１２を備え、前記ケーシング１１下面に吸込み開口部８と吹出し開口部９を設け、その二つ開口部の間に前記水受け５が配置され、前記水受け５の上に前記熱交換器２を設置し、前記熱交換器２の下流側に前記貫流ファン３を設けた空気調和機用室内機において、前記吸込み口８端部より内側の前記水受け５上に垂直の壁６aの下部を設け、前記壁６aの上部が前記熱交換器２の方向に垂直に伸び、前記壁６aと水受け５を一体化したものである。
室内機運転の際に吸込み方向に回転する渦が前記壁６aの下部に生じ、前記壁６a上部の方が風向を誘導し、空気が均一的に前記熱交換器２と貫流ファン３を通して前記吹出し口９から吹出す。
【００１４】
このような構造で上記の実施例１の利点を有すると共に、吸込み風の風向が誘導され、実施例１より分布均一的に熱交換器を通し、熱交換器の熱交換率を向上させるができる。
【実施例４】
【００１５】
図４は本発明の第二実施の形態を示す空気調和機用室内機の断面構成図である。実施例３に記載された空気調和機用室内機において、前記吸込み口８の端部より内側に前記水受け５上に壁６bを設け、前記設けた壁６bの下部が前記吸込み口８側の水受け５と鋭角になるように設定し、前記壁６bの上部を前記熱交換器２の方向に屈折し、前記壁６bと前記水受け５を一体化したものである。
【００１６】
このような構造で上記の実施例３の利点を有すると共に、前記設けた壁６aの傾斜度により、誘導される風向を調節することができる。
【実施例５】
【００１７】
図５は本発明の第四実施の形態を示す空気調和機用室内機の断面構成図である。ケーシング１１内に熱交換器２a、２b、貫流ファン３a、３b、電気箱１２aを備え、前記ケーシング１１の下面に二つ吹出し開口部口９b、９cと該二つ吹出す開口部の間に一つ吸込み開口部８bを設け、前記吸込み開口部８bと吹出し開口部口９b、９cの間に水受け５bを設け、前記吸込み口８bの上方の両側に前記熱交換器２a、２bを配置し、前記熱交換器２a、２b下流にそれぞれ前記貫流ファン３a、３bを設けた空気調和機用室内機において、前記吸込み口８bから前記熱交換器２a、２bまでの内側の水受け５b上にそれぞれ壁6cと6dを設け、前記壁6c、6dと前記水受け５bを一体化に構成している。
【００１８】
室内機が運転の際に空気が前記吸込み口８bから吸込み、風路に設置されている前記壁6cと6dに誘導され、前記熱交換器２a、２bと前記貫流ファン３a、３bを通して前記二つの吹出し口９b、９cから吹出す。
【００１９】
このような構成で上記の実施例１乃至4の利点を有すると共に、熱交換器の面積を増加するため熱交換の量が増加し、室内機の容量および効率が向上されることができる。
【図面の簡単な説明】
【００２０】
【図１】本発明の第一実施の形態を示す空気調和機用室内機の断面構成図である。
【図２】本発明の第二実施の形態を示す空気調和機用室内機の断面構成図である。
【図３】本発明の第三実施の形態を示す空気調和機用室内機の断面構成図である。
【図４】本発明の第四実施の形態を示す空気調和機用室内機の断面構成図である。
【図５】本発明の第五実施の形態を示す空気調和機用室内機の断面構成図である。
【符号の説明】
【００２１】
２、２a、２b…熱交換器、３、３a、３b…貫流ファン、４、４a、４b、４c…バックノーズ、５、５a、５b…水受け、６、６a、６b、６c、６d…壁、７、７a、７b、７c、７d…マエノーズ、８、８a、８b…吸込み口、９、９a、９b、９c…吹出し口、１０…モータ、１１…ケーシング、１２、１２a…  電気備品、１３、１３a、１３b…化粧パネル、６１…突き出し板。
【図１】
2006084076.tif 000003
【図２】
2006084076.tif 000004
【図３】
2006084076.tif 000005
【図４】
2006084076.tif 000006
【図５】
2006084076.tif 000007